(57)【要約】      （修正有）【課題】間隔式口鼻透気部を設けて、透気性を高めた丸編み型ヘッドウェアを提供する。【解決手段】一体化丸編みで作られた、伸縮可能で、フレキシブルな中空筒状をしている長い筒状被り物１０が備わり、該長い筒状被り物１０は、対向した両端にそれぞれ、上被り口１１と下被り口１２を設ける。さらに、透かした形で、一体化編みで、長い筒状被り物１０の片側に設けた眼部用透し孔２０を備え、該眼部用透し孔２０は、使用者がそれを装着したとき、眼部が露出されるように設けられる。眼部用透し孔２０との間に間隔を開けて、長い筒状被り物１０の片側に設けられる間隔式口鼻透気部３０が備わり、該間隔式口鼻透気部３０は、使用者がそれを装着しているとき、口鼻部位の通気が行われるように設けられており、また、該間隔式口鼻透気部３０の間隔孔は、編み糸を交錯させて網状に編まれた網孔状になっている。【選択図】図１
0003181077.tif 000002
【実用新案登録請求の範囲】
【請求項１】
使用者の頭部に装着する丸編み型ヘッドウェアであって、
一体化丸編みで作られた、伸縮可能で、フレキシブルな中空筒状をしている長い筒状被り物（１０）であって、該長い筒状被り物（１０）は、対向した両端にそれぞれ、上被り口（１１）と下被り口（１２）が設けられている、前記長い筒状被り物（１０）と、
透かした形で、一体化編みで、前記長い筒状被り物（１０）の片側に設けられる、少なくともの一つの眼部用透し孔（２０）であって、該眼部用透し孔（２０）は、使用者がそれを装着したとき、眼部が露出されるように設けられている、前記少なくともの一つの眼部用透し孔（２０）と、
間隔孔（３１）からなり、一体化編みで、前記眼部用透し孔（２０）との間に間隔を開けて、前記長い筒状被り物（１０）の片側に設けられる間隔式口鼻透気部（３０）であって、該間隔式口鼻透気部（３０）は、使用者がそれを装着しているとき、口鼻部位の通気が行われるように設けられている、前記間隔式口鼻透気部（３０）と、を含むことを特徴とする丸編み型ヘッドウェア。
【請求項２】
前記眼部用透し孔（２０）は、前記間隔式口鼻透気部（３０）と同じ間隔孔からなり、前記眼部用透し孔（２０）と前記間隔式口鼻透気部（３０）との設置範囲は同様で、または類似したものであり、使用者が前記丸編み型ヘッドウェア（Ａ）を装着するとき、前記長い筒状被り物（１０）の前記上被り口（１１）から、または前記下被り口（１２）から被っても、いずれも、同じ部位に対応するように設けられ、二重方向から装着できるという通用する柔軟性があることを特徴とする請求項１に記載の丸編み型ヘッドウェア。
【請求項３】
前記長い筒状被り物（１０）における前記眼部用透し孔（２０）と前記間隔式口鼻透気部（３０）との間にある、対向した両側の間隔には更に、一体化編みで作られた耳部用透し孔（４０）が備わり、該耳部用透し孔（４０）は、単一孔形態または間隔孔形態からなり、前記耳部用透し孔（４０）の設置により、使用者がそれを装着しても、両耳がよく聞けるように設けられており、それに、前記長い筒状被り物（１０）の両端で、前記上被り口（１１）と前記下被り口（１２）のプリセットエリアに近接したところには更に、幅収縮セクションが設けられていることを特徴とする請求項１または２に記載の丸編み型ヘッドウェア。
【請求項４】
前記眼部用透し孔（２０）は、間隔孔形態に設けられており、該間隔孔は、編み糸を交錯させて網状に編まれた網孔状になっている実施形態、または比較的に顕著な間隔を開けて、点状の孔が分布する実施形態になっていることを特徴とする請求項１に記載の丸編み型ヘッドウェア。
【請求項５】
前記間隔式口鼻透気部（３０）の前記間隔孔（３１、３１Ｂ）は、編み糸を交錯させて網状に編まれた網孔状になっている実施形態、または比較的に顕著な間隔を開けて、点状の孔が分布する実施形態になっていることを特徴とする請求項１または２に記載の丸編み型ヘッドウェア。
【考案の詳細な説明】
【技術分野】
【０００１】
本考案は、ヘッドウェアに関わり、特に、間隔式口鼻透気部を有するオリジナルな丸編み型ヘッドウェア構造形態に関する。
【背景技術】
【０００２】
自転車やオートバイクの運転者は、日よけや埃防止などのため、通常、頭部を頭巾で覆って運転しているが、頭部を頭巾で覆うというやり方で、頭部をよく覆うように（頭部、口、鼻、首などの部位を覆うことをいう）、わりと複雑な巻き方や結びなどを行わなければならないが、そのやり方を身につけていない限り、速やかに完成できないというとで、広く使用されていない方法である。
【０００３】
上述した問題について、その後、関連業者が長い筒状の従来の頭巾（ヘッドウェアともいう）形態を開発、この長い筒状の従来の頭巾は、前側に、横方向の長い透し孔が設けられており、使用者がこの長い筒状の頭巾を頭部に装着したとき、眼部が該透し孔から露出されることから、頭巾の使用より比較的に便利で、より完全に覆われるというメリットがある。ただし、該長い筒状の従来の頭巾は実施した使用経験から、依然として次のような問題点があると分かった。
【０００４】
該長い筒状の従来の頭巾は、前側のみに透し孔が設けられているため、使用者の口部や両耳も頭巾内に覆われることになり、そこで、使用者が頭巾を装着したままで、他人と話しているとき、往々として、もごもごと話したりして、声がうまく出せなかったりする問題があり、それに、両耳も頭巾に覆われているから、傍にいる人の話しや周りの音なども影響され、よく聞こえない問題があり、特に、使用者が頭巾を装着したままで、携帯電話やイヤホンを使用したりする場合、ヒヤリング効果がきっと大きく影響される、これらの問題点はいずれも、従来の長い筒状頭巾の実用性に大きなダメージを与えていると思われる。
【０００５】
それゆえ、上述した従来の頭巾、ヘッドウェアに存在している問題点について、より理想的で、実用性のあるオリジナルな構造を開発するのは、使用者が望むことで、関連業者がそれを開発するよう取り組むべき目標と方向でもある。
【０００６】
それに鑑みて、考案者は関連製品の製造開発と設計に携わる長年の経験を持っており、上述の目標について詳しく設計を行い、慎重に評価したうえ、ようやく実用性のある本考案を得られたわけである。
【考案の概要】
【考案が解決しようとする課題】
【０００７】
本考案は、丸編み型ヘッドウェアを提供することを目的とし、解決しようとする課題は、使用者の頭部に装着して、日よけ、防風、防塵などの効果を有するという、より理想的で実用性があるオリジナルな丸編み型ヘッドウェアを開発することにある。
【課題を解決するための手段】
【０００８】
本考案の課題を解決しようとする技術特徴として、一体化丸編みで作られた、伸縮可能で、フレキシブルな中空筒状をしている長い筒状被り物が備わり、該長い筒状被り物は、対向した両端にそれぞれ、上被り口と下被り口が設けられており、透かした形で、一体化編みで、長い筒状被り物の片側に設けられる、少なくともの一つの眼部用透し孔が備わり、該眼部用透し孔は、使用者がそれを装着したとき、眼部が露出されるように設けられており、間隔孔からなり、一体化編みで、眼部用透し孔との間に間隔を開けて、長い筒状被り物の片側に設けられる間隔式口鼻透気部が備わり、該間隔式口鼻透気部は、使用者がそれを装着しているとき、口鼻部位の通気が行われるように設けられていることを特徴とする該丸編み型ヘッドウェアであり、このようなオリジナルな設計により、本考案は背景技術に対して、おおよそ、次のようなメリットがある。
【０００９】
該間隔式口鼻透気部の設置により、使用者がそれを装着しているとき、口鼻部位の透気效果が大幅に向上し、それに、該間隔式口鼻透気部が間隔孔形態になっている特徴を利用して、好適な透気效果を得られることを前提として、更に、丸編み型ヘッドウェアを装着したままで、口鼻部位を覆うための完全性と強度を兼ね備えており、特によりよい実用性があり、使いやすいというメリット及び進歩性があること。
【００１０】
本考案のもう一つの目的として、該長い筒状被り物の対向した両側の間隔に更に、耳部用透し孔が設けられているという技術特徴を利用して、使用者がそれを装着しても、両耳がよく聞けるというメリット、実用性と進歩性があること。
【００１１】
本考案の更にもう一つの目的として、該眼部用透し孔は更に、間隔式口鼻透気部と同じ間隔孔からなり、眼部用透し孔と間隔式口鼻透気部の設置範囲は同様で、または類似したものであるというもう一つの技術特徴を利用して、使用者が該丸編み型ヘッドウェアを装着するとき、長い筒状被り物の上被り口から、または下被り口から被っても、同じ部位に対応するように設けられ、二重方向から装着できるという通用する柔軟性があること。
【考案の効果】
【００１２】
本考案による効果向上の事実は次の通り。
本考案に掲示した“丸編み型ヘッドウェア”は主に、該長い筒状被り物、眼部用透し孔と間隔式口鼻透気部を備えてなるオリジナルな構造形態であり、本考案は[背景技術]に述べた従来の構造に対して、該間隔式口鼻透気部の設置により、使用者がそれを装着しているとき、口鼻部位の透気效果が大幅に向上すること、それに、該間隔式口鼻透気部が間隔孔形態になっている特徴を利用して、好適な透気效果を得られることを前提として、更に、丸編み型ヘッドウェアを装着したままで、口鼻部位を覆うための完全性と強度を兼ね備えており、特によりよい実用性があり、使いやすいというメリット及び進歩性があること。
【図面の簡単な説明】
【００１３】
【図１】本考案の丸編み型ヘッドウェアの好適な実施形態の立体図。
【図２】本考案の間隔式口鼻透気部の間隔孔は網孔状になっている場合の実施例図。
【図３】本考案の間隔式口鼻透気部の間隔孔は点状に分布している場合の実施例図。
【図４】本考案の丸編み型ヘッドウェアの装着時のイメージ。
【図５】本考案の眼部用透し孔は間隔の置かれる二孔の設置形態である実施例図。
【図６】本考案の耳部用透し孔は間隔孔形態になっている実施例図。
【図７】本考案の長い筒状被り物の両端に幅収縮セクションが設けられている実施例図。
【図８】本考案の長い筒状被り物が二重方向から装着できる実施例図。
【考案を実施するための形態】
【００１４】
図１、図２に示すのは、本考案の丸編み型ヘッドウェアの好適な実施例だが、これらの実施例は、説明のみに用いられるもので、実用新案登録出願の際、これらの構造に制限されないものとする。使用者の頭部に装着し、
一体化丸編みで作られた、伸縮可能で、フレキシブルな中空筒状をしている長い筒状被り物１０が備わり、該長い筒状被り物１０は、対向した両端にそれぞれ、上被り口１１と下被り口１２が設けられており、
透かした形で、一体化編みで、長い筒状被り物１０の片側に設けられる、少なくともの一つの眼部用透し孔２０が備わり、該眼部用透し孔２０は、使用者がそれを装着したとき、眼部が露出されるように設けられており、図１に示すような眼部用透し孔２０は、単一孔の設置形態で、図５に示すような眼部用透し孔２０Ｂは、間隔の置かれる二孔の設置形態であり、その中、“一体化編み”とは、編込んで、該長い筒状被り物１０に仕上げる製造過程の中で、丸編み機が順序よく稼動し、成形させるように行われることを意味し、本稿でいう“一体化編み”はすべて、その意味を示すことで、それ以上述べないことにするが、
間隔孔３１（図２、図３のみ掲示）からなり、一体化編みで、眼部用透し孔２０との間に間隔を開けて、長い筒状被り物１０の片側に設けられる間隔式口鼻透気部３０が備わり、該間隔式口鼻透気部３０は、使用者がそれを装着しているとき、口鼻部位の通気が行われるように設けられており、また、該間隔式口鼻透気部３０の間隔孔３１は、図２に示すように、編み糸を交錯させて網状に編まれた網孔状になっている実施形態、または、図３に示すような間隔孔３１Ｂで、比較的に顕著な間隔を開けて、点状の孔が分布する実施形態になってもよいことを特徴とする該丸編み型ヘッドウェアＡである。
【００１５】
図１に示すように、該長い筒状被り物１０における眼部用透し孔２０と間隔式口鼻透気部３０との間にある、対向した両側の間隔には更に、一体化編みで作られた耳部用透し孔４０が備わっており、該耳部用透し孔４０は、単一孔形態（図１）または間隔孔形態（図６に示すような耳部用透し孔４０Ｂ）に設けられてもよく、該耳部用透し孔４０の設置により、使用者がそれを装着しても、両耳がよく聞けるように設けられており、これが、他人と話したり、携帯電話やイヤホンを使用したりするときにも、顕著に役立つものである。
【００１６】
上述した構造、組合せ設計により、本考案の使用状態について次のように説明する。
【００１７】
図３に示すのは、本考案の該丸編み型ヘッドウェアＡは、実際に、使用者の頭部に装着した場合であり、使用者は、該長い筒状被り物を１０の下被り口１２から装着できるが、そこで、頭上から下のほうへ頭部を被り、眼部用透し孔２０はちょうど眼部に、間隔式口鼻透気部３０は口鼻部位に対応するよう被ると、丸編み型ヘッドウェアＡの装着が完了するが、そのとき、使用者の首部も、長い筒状被り物１０の下被り口１２に近接した部分に覆われており、該長い筒状被り物の上被り口１１に近接した部分も使用者の頭上にはみ出しており、このはみ出した部分は自然と、使用者の頭後部のほうへ垂れるようになり、髪の長い方は、髪を該はみ出した部分を通らせて、上被り口１１の外へ引き出してもよい。
【００１８】
本考案の中心設計は、該間隔式口鼻透気部３０の設置にあり、間隔孔が設けられることにより、使用者がそれを装着しているとき、口鼻部位の透気や、呼吸がよく行われるため、丸編み型ヘッドウェアＡを装着しても、口鼻部位が蒸し暑くて、呼吸困難などのような問題は発生しないこと、また、他人と話すときにも、発した声が該間隔式口鼻透気部３０を通って、外部へ届くことになるため、丸編み型ヘッドウェアＡを装着したままでも、他人と自然に会話したり、携帯電話を使用したりすることができること、それに、該間隔式口鼻透気部３０間隔孔形態になっている特徴を有し、それにより、当該エリアは、間隔孔の間にあっても、緊密に分布、連結しているため、好適な透気效果を得られることを前提として、丸編み型ヘッドウェアＡを装着したままで、口鼻部位を覆うための完全性と強度を兼ね備えている。
【００１９】
図７に示すように、該長い筒状被り物１０の両端で、該上被り口１１と下被り口１２のプリセットエリアに近接したところには更に、幅収縮セクションが設けられており、該幅収縮セクション５０の設置により、使用者が丸編み型ヘッドウェアＡを装着しているとき、該長い筒状被り物１０は、比較的に収縮した状態で、使用者の首部や頭上のところに対応するように設けられ、比較的に収縮した状態を見せ、装着時の安定性と被覆性が向上する。
【００２０】
図８に示すように、該眼部用透し孔２０は更に、間隔式口鼻透気部３０と同じ間隔孔形態にも設けられ、眼部用透し孔２０と間隔式口鼻透気部３０との設置範囲は同様で、または類似したものであり、それにより、使用者が該丸編み型ヘッドウェアＡを装着するとき、長い筒状被り物１０の上被り口１１から、または下被り口１２から被っても、いずれも、同じ部位に対応するように設けられ（すなわち、使用者の眼部や口鼻部位もそれに対応した透し孔エリアを得られ）、二重方向から装着できるという通用する柔軟性がある。もちろん、単に該眼部用透し孔２０の形態から見ても、この段落に述べた二重方向から装着できる機能を果せるかどうかにも関わらず、同じく、間隔孔形態に設けられてもよいが、該間隔孔の実施形態にも同様に、図２、図３に掲示したものが含まれている。
【００２１】
上述した実施例に掲示したのは、本考案を具体的に説明するための内容であり、文の中で専門用語で説明してきたが、それを以って、本考案の実用新案登録請求の範囲を制限してはならず、また、当該技術分野が分かる者は、本考案のコンセプトや考えを理解したうえ、その改造や変更を行って、それと同等な効果を得たとしても、それらの改造や変更はいずれも後述した実用新案登録請求の範囲に含まれるものとする。
【符号の説明】
【００２２】
丸編み型ヘッドウェア      Ａ
長い筒状被り物            １０
上被り口                  １１
下被り口                  １２
眼部用透し孔              ２０、２０Ｂ
間隔式口鼻透気部          ３０
間隔孔                    ３１、３１Ｂ
耳部用透し孔              ４０、４０Ｂ
幅収縮セクション          ５０
【図１】
0003181077.tif 000003
【図２】
0003181077.tif 000004
【図３】
0003181077.tif 000005
【図４】
0003181077.tif 000006
【図５】
0003181077.tif 000007
【図６】
0003181077.tif 000008
【図７】
0003181077.tif 000009
【図８】
0003181077.tif 000010